(57)【要約】【課題】高さ調整作業において作業者にかける負担を低減することのできるガーデンデッキを提供するとともに、ファインウッドで形成した材料をネジ止めする場合に、ネジを螺入した部分が割れてしまうことのない連結構造を提供する。【解決手段】床板が載置される台座が複数の支持脚によって支持されるガーデンデッキであって、支持脚は、上面に開口が形成された中空柱部と、中空柱部の下面に設けたネジ穴内に螺入され、下端が中空柱部の外部へ延出する調整ボルトと、を備え、開口から挿入した工具により、中空柱部からの調整ボルトの延出量を調整することによって、台座の高さを調整する。【選択図】図３
2008050802.tif 000002
【特許請求の範囲】
【請求項１】
床板を載置可能な台座が複数の支持脚によって支持されるガーデンデッキであって、
前記支持脚は、上方に開口が形成された中空柱部と、前記中空柱部の下方に設けたネジ穴内に螺合して、下端が前記中空柱部の外部へ延出する調整ボルトと、を備え、
前記開口から挿入した工具により、前記中空柱部からの前記調整ボルトの延出量を調整することによって、前記台座の高さを調整可能な構成としたこと
を特徴とするガーデンデッキ。
【請求項２】
前記調整ボルトの延出部分に設けられ、前記調整ボルトの延出量を規制するロックナットを備えることを特徴とする請求項１に記載のガーデンデッキ。
【請求項３】
前記中空柱部の下方から延出した前記調整ボルトの先端が嵌合するベース部を備えることを特徴とする請求項１又は請求項２に記載のガーデンデッキ。
【請求項４】
前記ネジ穴は、前記中空柱部の下端に配置される調整ボルト受け部に設けられていることを特徴とする請求項１乃至請求項３のうち、いずれか１に記載のガーデンデッキ。
【請求項５】
対象部材においてネジが螺入される第１面に第１連結板を接触配置し、
前記第１連結板と対向するように、前記対象部材の前記第１面とは別の第２面に第２連結板を接触配置し、
前記第１連結板は、上端からの第１折り返し部が前記対象部材の上面に接触し、左端及び／又は右端の第２折り返し部が前記第１面の左側の側面及び／又は右側の側面に接触し、
被連結部材を貫通した前記ネジを、前記第１連結板を介して前記第１面に螺入し、前記第２面及び前記第２連結板を介してナット部に螺合することにより、前記被連結部材を前記対象部材に連結すること
を特徴とする連結構造。
【請求項６】
前記対象部材は中空部材であって、前記第２連結板が接触配置される前記第２面は、前記第１面に対向する内面であることを特徴とする請求項５に記載の連結構造。
【請求項７】
前記第１連結板は、前記第１面及びこの隣接面の二つの面に接触するように曲成され、前記第２連結板は、前記二つの面の内面に対応するように曲成されていることを特徴とする請求項６に記載の連結構造。
【請求項８】
前記第１連結板は、下端から外方へ延出し、前記被連結部材を支持する受け板を備えることを特徴とする請求項５乃至請求項７のうち、いずれか１に記載の連結構造。
【請求項９】
前記ナット部は、前記第２連結板に一体形成されていることを特徴とする請求項５乃至請求項８のうち、いずれか１に記載の連結構造。
【請求項１０】
前記対象部材は、木粉入り樹脂によって形成されていることを特徴とする請求項５乃至請求項９のうち、いずれか１に記載の連結構造。
【請求項１１】
対象部材においてネジが螺入される第１面に第１連結板を接触配置し、
前記第１連結板と対向するように、前記対象部材の前記第１面とは別の第２面に第２連結板を接触配置し、
前記第１連結板は、上端からの第１折り返し部が前記対象部材の上面に接触し、
被連結部材を貫通した前記ネジを、前記第１連結板を介して前記第１面に螺入し、前記第２面及び前記第２連結板を介してナット部に螺合することにより、前記被連結部材を前記対象部材に連結すること
を特徴とする連結構造。
【発明の詳細な説明】
【技術分野】
【０００１】
本発明は、ガーデンデッキ及び連結構造に関する。
【背景技術】
【０００２】
家庭の庭やベランダで使用されるガーデンデッキは、台座上面に床板を載置してなるものであり、台座下面側に配置された複数の支持脚のそれぞれの長さを調整することによって、床板を水平に保持し、並設するガーデンデッキとの間で高さを調整していた。
【０００３】
ガーデンデッキの支持脚は、デザインの統一性などの観点から、床板、台座と同じ材料（例えば木材、ファインウッドなど）で形成された柱部を設けることが多く、この柱部から延出した調整ボルトの延出量を調整することによって、各支持脚の長さを定めていた。また、支持脚の柱部は、結合強度や作業の容易性などの観点から、台座に対してネジ止めされることが多い。なお、以下の説明において、ファインウッドとは、木粉と樹脂を混合してなる材料（木粉入り樹脂）を言うものとする。
【０００４】
【特許文献１】特開平５−２０２６０４号公報
【特許文献２】特開平７−２７９３７１号公報
【特許文献３】特開平１０−２３８０８２号公報
【特許文献４】特開平１１−６２１８２号公報
【特許文献５】特許第３０６４０４４号明細書
【特許文献６】特許第３０７９４６８号明細書
【特許文献７】特開平７−３３１７４４号公報
【特許文献８】特開平１１−２４７４０８号公報
【特許文献９】特許第２７８６５９０号明細書
【特許文献１０】実公昭５２−１６０８８号公報
【特許文献１１】実公昭６２−３３１３０号公報
【発明の開示】
【発明が解決しようとする課題】
【０００５】
しかしながら、上述のガーデンデッキで高さ調整をする場合は、ガーデンデッキを組み上げた後に、台座を持ち上げつつ調整ボルトを回動させてその延出量を調整するため、作業者には重い台座を保持しつつ調整ボルトを回動させるという負荷がかかるとともに、座って調整作業をした後に立ち上がって調整の確認を行い、必要があればこのサイクルを繰り返さなければならなかった。
【０００６】
また、支持脚の柱部をファインウッドで形成して、これを台座にネジ止めした場合、ネジを螺合した部分が割れてしまうという問題がある。この問題は、ガーデンデッキに限らず、ファインウッドで形成した材料をネジ止めする場合に起こりうるものである。
【０００７】
そこで本発明は、高さ調整作業において作業者にかける負担を低減することのできるガーデンデッキを提供することを目的とする。また、本発明は、ファインウッドで形成した材料をネジ止めする場合に、ネジを螺合した部分が割れてしまうことのない連結構造を提供することを目的とする。
【課題を解決するための手段】
【０００８】
上記課題を解決するために、本発明のガーデンデッキは、床板を載置可能な台座が複数の支持脚によって支持されるガーデンデッキであって、前記支持脚は、上方に開口が形成された中空柱部と、前記中空柱部の下方に設けたネジ穴内に螺合して、下端が前記中空柱部の外部へ延出する調整ボルトと、を備え、前記開口から挿入した工具により、前記中空柱部からの前記調整ボルトの延出量を調整することによって、前記台座の高さを調整可能な構成としたことを特徴とする。
【０００９】
本発明のガーデンデッキにおいては、前記調整ボルトの延出部分に設けられ、前記調整ボルトの延出量を規制するロックナットを備えることを特徴とする。
【００１０】
本発明のガーデンデッキにおいては、前記中空柱部の下方から延出した前記調整ボルトの先端が嵌合するベース部を備えることを特徴とする。
【００１１】
本発明のガーデンデッキにおいて、前記ネジ穴は、前記中空柱部の下端に配置される調整ボルト受け部に設けられていることを特徴とする。
【００１２】
また、本発明の連結構造においては、対象部材においてネジが螺入される第１面に第１連結板を接触配置し、前記第１連結板と対向するように、前記対象部材の前記第１面とは別の第２面に第２連結板を接触配置し、前記第１連結板は、上端からの第１折り返し部が前記対象部材の上面に接触し、左端及び／又は右端の第２折り返し部が前記第１面の左側の側面及び／又は右側の側面に接触し、被連結部材を貫通した前記ネジを、前記第１連結板を介して前記第１面に螺入し、前記第２面及び前記第２連結板を介してナット部に螺合することにより、前記被連結部材を前記対象部材に連結することを特徴とする。
【００１３】
本発明の連結構造においては、前記対象部材は中空部材であって、前記第２連結板が接触配置される前記第２面は、前記第１面に対向する内面であることを特徴とする。
【００１４】
本発明の連結構造においては、前記第１連結板は、前記第１面及びこの隣接面の二つの面に接触するように曲成され、前記第２連結板は、前記二つの面の内面に対応するように曲成されていることを特徴とする。
【００１５】
本発明の連結構造においては、前記第１連結板は、下端から外方へ延出し、前記被連結部材を支持する受け板を備えることを特徴とする。
【００１６】
本発明の連結構造においては、前記ナット部は、前記第２連結板に一体形成されていることを特徴とする。
【００１７】
本発明の連結構造においては、前記対象部材は、木粉入り樹脂によって形成されていることを特徴とする。
【００１８】
さらに、本発明の連結構造においては、対象部材においてネジが螺入される第１面に第１連結板を接触配置し、前記第１連結板と対向するように、前記対象部材の前記第１面とは別の第２面に第２連結板を接触配置し、前記第１連結板は、上端からの第１折り返し部が前記対象部材の上面に接触し、被連結部材を貫通した前記ネジを、前記第１連結板を介して前記第１面に螺入し、前記第２面及び前記第２連結板を介してナット部に螺合することにより、前記被連結部材を前記対象部材に連結することを特徴とする。
【発明の効果】
【００１９】
本発明によると、支持脚を中空柱部内に調整ボルトを螺合した構成とし、中空柱部上面開口から挿入した工具により調整ボルトを回動させてガーデンデッキの高さを調整することができるため、作業者にかかる負担を大幅に低減することができる。また、中空柱部その他の対象部材を挟むように第１連結板と第２連結板を対向配置し、第１連結板を介して対象部材の第１面にネジを螺入し、第２連結板を介してナット部に螺合することにより、対象部材へのネジの連結を確実にするとともに、対象部材においてネジが螺入された部分が割れてしまうことを防止することができる。さらに、第１折り返し部及び第２折り返し部により、対象部材及び被連結部材の上下及び左右へのぐらつきを抑止することができる。
【発明を実施するための最良の形態】
【００２０】
以下、本発明にかかる実施形態を図面を参照しつつ詳しく説明する。
【００２１】
図１は、本実施形態に係るガーデンデッキ１０の構成を示す分解斜視図、図２は、ガーデンデッキ１０を複数並置した例を示す斜視図である。図１に示すように、本実施形態に係るガーデンデッキ１０は、４本の四角柱状の枠部材４１を結合して平面視枠状とした台座４０と、この台座４０の４つのコーナーの内面にそれぞれ固定された４本の支持脚５０と、台座４０上に載置される床板３０と、を備える。台座４０及び床板３０は、例えばファインウッドの成型により形成する。台座４０は、支持脚５０の長さ（調整ボルト５４の延出量）を調整することにより、高さを変えることができる。支持脚５０は、枠部材４１の長手方向両端において、枠の外側から内側へ貫通するように設けられたネジ穴４１ａに螺入されたネジにより、枠部材４１に連結されている。ガーデンデッキ１０は、用途や設置場所などに応じて、図２に示すように並置される。また、ネジ穴４１ａに挿通するネジによって、ラティス（フェンス）２０が固定される。
【００２２】
本実施形態に係る支持脚５０について、図３及び図４を参照しつつ説明する。
【００２３】
図３は、本実施形態に係る支持脚５０の構成を示す分解斜視図、図４は、支持脚５０の縦断面と工具の一例としての六角レンチＷを示す図である。支持脚５０は、上面に開口が形成された中空柱部５１と、この中空柱部５１の下部に嵌入される調整ボルト受け部５２と、この調整ボルト受け部５２において中空柱部５１の長手方向（図３の上下方向）に沿って貫設されたネジ穴５２ａに溝５４ａを螺合させつつ挿入される調整ボルト５４と、この調整ボルト５４に螺嵌されるロックナット５３と、調整ボルト５４の下端に設けた嵌合部５４ｂが揺動可能に外嵌する半球状受け部５５ａが形成されたベース部５５と、を備える。中空柱部５１は、例えばファインウッドの成型によって形成する。調整ボルト５４のうち、調整ボルト受け部５２の下面（中空柱部５１の下面）から延出した部分のネジ溝５４ａと、ロックナット５３の溝５３ａとが螺合する。調整ボルト５４には、軸直交断面が六角形の孔部が上面から下方に向かって穿設されている。また、中空柱部５１の側面５１０には、厚さ方向に貫通するネジ穴５１ａが設けられ、その内面にはネジ溝が設けられている。
【００２４】
支持脚５０は次のように長さを調整することができる。図４に示すように、上面開口から挿入した六角レンチ（工具）を調整ボルト５４に設けた孔部５４ｃに挿入し、調整ボルト５４の軸を中心に回動することにより、中空柱部５１からの調整ボルト５４の延出量を調整することができる。延出量が多くなれば支持脚５０は長くなり、延出量が小さくなれば支持脚５０は短くなる。このように支持脚５０の長さを調整することにより、台座４０の高さ及び高さのバランスを調整する。調整終了後は、調整ボルト受け部５２の下面に接触するまでロックナット５３を移動すると、調整ボルト５４の延出量が規制されるため、支持脚５０の長さを保持することができる。このように、支持脚５０の上面開口から挿入した六角レンチにより調整ボルト５４を回動させてそれぞれの支持脚５０の長さを調整することができるため、作業者は姿勢をほとんど変えることなく、かつ、ガーデンデッキ１０を持ち上げることもなく、ガーデンデッキ１０の高さを極めて容易に調整することができる。
【００２５】
なお、調整ボルト受け部５２は、中空柱部５１の下面として一体で形成してもよい。ベース部５５を設けずに、調整ボルト５４の下端を直接接地させてもよい。調整ボルト５４に設けた断面形状が六角形の孔部に代えて、使用する工具に合わせた形状を適宜形成することができる。例えば、調整ボルト５４に孔を開けることなく上端の断面形状を六角形としてもよいし、上面にプラス形状の溝を設けてもよい。
【００２６】
次に、本実施形態に係る連結構造について、図５乃至図７を参照しつつ説明する。図５は、本実施形態に係る第１連結板６１と支持脚５０の構成及び組み立て手順を示す斜視図、図６は、本実施形態に係る第２連結板６２の構成を示すとともに、第１連結板６１及び支持脚５０への第２連結板６２の組み込み手順と、を示す斜視図、図７は、第１連結板６１、第２連結板６２、及び支持脚５０を組み上げた状態を示す図であり、図６のＶＩＩ−ＶＩＩ線における断面図に対応する図である。以下の説明では、本発明に係る連結具及び連結構造をガーデンデッキに適用した場合について説明するが、本発明はこれに限定されず、ネジを螺入することにより割れるおそれのある材料（例えばファインウッド）への連結に適用することができる。
【００２７】
本実施形態に係る連結具は、金属製（例えばステンレス鋼）の第１連結板６１及び第２連結板６２を備える。第１連結板６１は、中空柱部５１の隣接する二つの側面（第１面及びこの隣接面）５１０に接触するように曲成され、第２連結板６２は、中空柱部５１の二つの側面５１０の内面５１２（第２面）に沿って接触できるように曲成されている。第１連結板６１と第２連結板６２は、中空柱部５１の二つの側面を挟むように、互いにネジ止め連結される。本実施形態は、第１連結板６１及び第２連結板６２を連結する対象部材は、中空柱部５１であるが、中実部材を対象部材とすることもできる。この場合は、中実部材の外側面のうち対向する２面を第１面及び第２面として、これらの面に第１連結板及び第２連結板をそれぞれ接触配置する。
【００２８】
図５に示すように、第１連結板６１は、折り曲げ加工により、中空柱部５１の隣接する二つの側面５１０の形状に合わせて長板状部材の長手方向略中央を曲成してなる本体部６１０を備える。この本体部６１０は、側面５１０に接触配置されたときに中空柱部５１の上面５１１に接触するように、上端から折り返された第１折り返し部６１２と、本体部６１０が接触する側面の左側の側面及び右側の側面に接触するように、左右端からそれぞれ折り返された第２折り返し部６１３と、を備える。本体部６１０には、その厚さ方向に貫通するネジ穴６１０ａが、側面５１０に設けたネジ穴５１ａに対応する位置に設けられている。さらに、本体部６１０には、下端から外方へ延出するように折り返された受け板６１１が設けられている。この受け板６１１には、その厚さ方向に貫通するネジ穴６１１ａが設けられている。
【００２９】
図６に示すように、第２連結板６２は、折り曲げ加工により、中空柱部５１の隣接する二つの側面５１０の内面の形状に合わせて長板状部材の長手方向略中央を曲成してなる基部６２０を備える。この基部６２０は、第１連結板６１のネジ穴６１０ａに対応する位置に溶接されたナット部６２０ａを備え、ナット部６２０ａの内面にはネジ穴が設けられている。ナット部６２０ａは、基部６２０とともに一体成型して形成することもできる。また、ナット部を基部６２０とは別体として、ナット部６２０ａに代えて基部６２０に貫設したネジ穴に挿通したネジの先端に螺嵌することもできる。
【００３０】
図５乃至図７を参照しつつ、連結具を用いた台座４０と中空柱部５１との連結について説明する。まず、第１連結板６１を中空柱部５１（対象部材）上に配置する。配置は、第１連結板６１のネジ穴６１０ａと中空柱部５１のネジ穴５１ａが対応するように、第１折り返し部６１２の下面を上面５１１に乗せ、かつ、本体部６１０の内面と側面５１０を接触させる。このとき、本体部６１０が接触する側面５１０に隣接する側面は第２折り返し部６１３と接触している。また、側面５１０の内面側には、中空柱部５１のネジ穴５１ａとナット部６２０ａが対応するように、第２連結板６２を配置する。
【００３１】
次に、台座４０（被連結部材）のネジ穴４１ａを貫通したネジ６３をネジ穴６１０ａに挿入し、ネジ穴５１ａに螺入する。このネジ６３の先端が、ネジ穴５１ａから延出したところで、その先端を対応するナット部６２０ａに螺合する。これにより、図７に示すように、第１折り返し部６１２の先端面が第２連結板６２の基部６２０の平面に当接するとともに、ナット部６２０ａの先端面が第１連結板６１の本体部６１０の内面に当接する。一方、受け板６１１の下方からネジ穴６１１ａに挿入したネジ６４を台座４０の枠部材４１に螺合する。以上の作業により中空柱部５１と台座４０とが連結され、その後、上述のように中空柱部５１の長さ調整を行って台座４０の高さを調整する。
【００３２】
以上のように中空柱部５１の側面５１０を挟むように金属製の第１連結板６１と第２連結板６２を対向配置し、第１連結板６１を介して側面５１０にネジ６３を螺入し、その先端部分をナット部６２０ａに螺合することにより、中空柱部５１へのネジ６３の連結を確実にすることができる。さらに、中空柱部５１をファインウッドなどのネジの螺入部分が割れやすい部材にしても、割れが発生することを抑止することができる。また、第１折り返し部６１２及び第２折り返し部６１３により、中空柱部５１及び台座４０の上下及び左右へのぐらつきを抑止することができる。さらに、ネジ６３をナット部６２０ａに螺合することにより、第１折り返し部６１２の先端面を第２連結板６２の基部６２０に当接させ、かつ、ナット部６２０ａの先端面を第１連結板６１の本体部６１０の内面に当接させることができるため、台座４０と中空柱部５１の連結をさらに強固なものとすることができるとともに、中空柱部５１がさらに破損し難くすることができる。
【００３３】
なお、第１連結板６１は略中央で曲成して中空柱部５１の２つの側面５１０に接触させたが、図８に示す第１連結板７１のように１つの側面のみに接触させる構成としても良い。この場合、第２連結板は、第１連結板７１に対応するように、１つの側面の内面のみに接触させる構成とすることが好ましい。第１連結板７１は、側面５１０に対応した形状の本体部７１０と、側面５１０に接触配置されたときに中空柱部５１の上面５１１に接触するように、上端から折り返された第１折り返し部７１２と、本体部７１０が接触する側面の左側の側面及び右側の側面に接触するように、左右端からそれぞれ折り返された第２折り返し部７１３と、を備える。本体部７１０には、その厚さ方向に貫通するネジ穴７１０ａが、側面５１０に設けたネジ穴５１ａに対応する位置に設けられている。さらに、本体部７１０には、下端から外方へ延出するように折り返された受け板７１１が設けられている。この受け板７１１には、その厚さ方向に貫通するネジ穴７１１ａが設けられている。ここで、図８は、上述の実施形態の変形例に係る第１連結板７１の構成を示す斜視図である。
【００３４】
本発明について上記実施形態を参照しつつ説明したが、本発明は上記実施形態に限定されるものではなく、改良の目的または本発明の思想の範囲内において改良または変更が可能である。
【図面の簡単な説明】
【００３５】
【図１】本発明の実施形態に係るガーデンデッキの構成を示す分解斜視図である。
【図２】本発明の実施形態に係るガーデンデッキを並置した例を示す斜視図である。
【図３】本発明の実施形態に係る支持脚の構成を示す分解斜視図である。
【図４】本発明の実施形態に係る支持脚の縦断面と工具の例を示す図である。
【図５】本発明の実施形態に係る第１連結板と支持脚の構成及び組み立て手順を示す斜視図である。
【図６】本発明の実施形態に係る第２連結板の構成と、第１連結板及び支持脚への組み込み手順と、を示す斜視図である。
【図７】本発明の実施形態に係る第１連結板、第２連結板、及び支持脚を組み上げた状態を示す、図６のＶＩＩ−ＶＩＩ線における断面図に対応する図である。
【図８】本発明の実施形態の変形例に係る第１連結板の構成を示す斜視図である。
【符号の説明】
【００３６】
１０    ガーデンデッキ
２０    ラティス
３０    床板
４０    台座（被連結部材）
４１    枠部材
５０    支持脚
５１    中空柱部（対象部材）
５２    調整ボルト受け部
５３    ロックナット
５４    調整ボルト
５５    ベース部
６１    第１連結板
６２    第２連結板
６３    ネジ
６４    ネジ
７１    第１連結板
５１０    側面（第１面及びこの隣接面）
５１２    内面（第２面）
６１２    第１折り返し部
６１３    第２折り返し部
６２０ａ  ナット部
７１２    第１折り返し部
７１３    第２折り返し部
Ｗ        六角レンチ（工具）
【図１】
2008050802.tif 000003
【図２】
2008050802.tif 000004
【図３】
2008050802.tif 000005
【図４】
2008050802.tif 000006
【図５】
2008050802.tif 000007
【図６】
2008050802.tif 000008
【図７】
2008050802.tif 000009
【図８】
2008050802.tif 000010